(57)【要約】【課題】尿吸収パッドの交換頻度を減らすことにより、コストの低減を図ることのできる尿吸収パッド及び、これを用いたパンツを提供すること。【解決手段】本発明は、男性用パンツに装着して使用する尿吸収パッドにおいて、パンツの前側に位置する吸水性の第１領域と、パンツの後側に位置する吸水性の第２領域と、これら第１領域と第２領域との間に形成される中間領域とを備える。そして、前記中間領域は、前記第１及び第２領域よりも表面に突出し、前記第１領域側の前面と第２領域側の後面とを有するように成形される。【選択図】図４
2018047158.tif 000002
【特許請求の範囲】
【請求項１】
男性用パンツに装着して使用する尿吸収パッドにおいて、
パンツの前側に位置する吸水性の第１領域と、パンツの後側に位置する吸水性の第２領域と、これら第１領域と第２領域との間に形成される中間領域とを備え、
前記中間領域は、前記第１及び第２領域よりも表面に突出し、前記第１領域側の前面と第２領域側の後面とを有するように成形されたことを特徴とする尿吸収パッド。
【請求項２】
前記中間領域は、吸収シートの中央付近を二重に折り重ねることで形成されることを特徴とする請求項１に記載の尿吸収パッド。
【請求項３】
重ね合わされた前記吸収シートの根元付近を縫製することで、前記中間領域を形成することを特徴とする請求項２に記載の尿吸収パッド。
【請求項４】
重ね合わされた前記吸収シートの内側を接着することで、前記中間領域を形成することを特徴とする請求項２に記載の尿吸収パッド。
【請求項５】
当該尿吸収パッドは、前記中間領域の向きを変えることで２回使用可能に構成され、
１回目の使用の際には、前記第２領域及び前記中間領域の後面を使用し、
２回目の使用の際には、当該吸収パッドの向きを前後逆にして前記第１領域及び前記中間領域の前面を使用可能に構成されたことを特徴とする請求項１乃至４の何れか一項に記載の尿吸収パッド。
【請求項６】
当該尿吸収パッドは、前記中間領域の向きを変えることで２回使用可能に構成され、
１回目の使用の際には、前記中間領域を前方又は後方の何れか一方向に倒して使用し、
２回目の使用の際には、前記中間領域を前方又は後方の他方向に倒して使用するように構成されたことを特徴とする請求項１乃至４の何れか一項に記載の尿吸収パッド。
【請求項７】
当該パッドはパンツに直接固定できることを特徴とする請求項１乃至６の何れか一項に記載の尿吸収パッド。
【請求項８】
請求項１に記載の尿吸収パッドを有するトランクスタイプのパンツにおいて、
前記パンツの内側において、股間の前後に渡って吊り下げられた状態で固定された保持部材を備え、
前記尿吸収パッドは、前記保持部材に対して着脱可能に固定されることを特徴とするパンツ。
【請求項９】
前記中間領域は、吸収シートの中央付近を二重に折り重ねることで形成されることを特徴とする請求項８に記載のパンツ。
【請求項１０】
重ね合わされた前記吸収シートの根元付近を縫製することで、前記中間領域を形成することを特徴とする請求項９に記載のパンツ。
【請求項１１】
重ね合わされた前記吸収シートの内側を接着することで、前記中間領域を形成することを特徴とする請求項９に記載のパンツ。
【請求項１２】
前記尿吸収パッドは、前記中間領域の向きを変えることで２回使用可能に構成され、
１回目の使用の際には、前記第２領域及び前記中間領域の後面を使用し、
２回目の使用の際には、当該吸収パッドの向きを前後逆にして前記第１領域及び前記中間領域の前面を使用可能に構成されたことを特徴とする請求項８乃至１１の何れか一項に記載のパンツ。
【請求項１３】
前記尿吸収パッドは、前記中間領域の向きを変えることで２回使用可能に構成され、
１回目の使用の際には、前記中間領域を前方又は後方の何れか一方向に倒して使用し、
２回目の使用の際には、前記中間領域を前方又は後方の他方向に倒して使用するように構成されたことを特徴とする請求項８乃至１１の何れか一項に記載のパンツ。
【発明の詳細な説明】
【技術分野】
【０００１】
本発明は、男性用パンツに装着して使用する尿吸収パッド及び、これを備えたパンツに関する。
【背景技術】
【０００２】
外出時の尿漏れが気になる男性を対象とした失禁者用のパンツは、一般的に、パンツ本体と尿吸収パッドによって構成される。尿吸収パッドは、パンツ本体の内側股間付近において性器を覆うように配置される。尿吸収パッドとしては、例えば、使い捨ての紙製のものが使用できる。
【発明の概要】
【発明が解決しようとする課題】
【０００３】
上記のような尿吸収パッドを備えたパンツにおいては、尿漏れが発生するたびに尿吸収パッドを交換しなくてはならず、一日に数回も交換しなければならない場合がある。そのため、使い捨ての尿吸収パッドの場合には、頻繁に交換することで費用的な負担が大きくなってしまう。また、布製の再利用可能なパッドを使用した場合にも、交換頻度が多く、交換作業が繁雑となることは同じである。特に、頻繁にパッドを交換できない状況、例えば、旅行の際、ゴルフのプレー中、建築現場における作業中などの状況においては、沢山のパッドを持ち歩かねばならず極めて不便である。
【０００４】
本発明は上記のような状況に鑑みてなされたものであり、尿吸収パッドの交換頻度を減らすことにより、コストの低減を図るとともに、利便性を向上させた尿吸収パッド及び、これを用いたパンツを提供することを目的とする。
【課題を解決するための手段】
【０００５】
上記のような課題を解決するために、本発明は、男性用パンツに装着して使用する尿吸収パッドにおいて、パンツの前側に位置する吸水性の第１領域と、パンツの後側に位置する吸水性の第２領域と、これら第１領域と第２領域との間に形成される中間領域とを備える。そして、前記中間領域は、前記第１及び第２領域よりも表面（使用者の性器側又は、股間側）に突出し、前記第１領域側の前面と第２領域側の後面とを有するように成形される。
【０００６】
上記のような構成により、中間領域で区切られた第１領域と第２領域とを別々に使用することが可能となる。すなわち、中間領域が突出しているため、第１領域と第２領域との間で、漏れた尿が一方の領域から他方の領域に到達し難くなる。その結果、パッドの向きを変える等の方法によって、例えば、１日２４時間の間で同一のパッドを２回使用することが可能となる。なお、本発明のパッドにおける１回目と２回目の切り替えのタイミングは、使用者の失禁の度合いや、使用者の好みによって適宜調整可能である。要は、本発明の最大のメリットは、単一のパッドを２回使えることにある。
【０００７】
例えば、１回目の使用の際には、前記第２領域及び前記中間領域の後面を使用する。尿漏れがあった場合、すなわち２回目の使用の際には、当該吸収パッドの向きを前後逆にして前記第１領域及び前記中間領域の前面を使用することができる。例えば、１日の中で約１２時間の使用を１回目とし、残りの１２時間の使用を２回目とすることができる。
【０００８】
あるいは、１回目の使用の際には、前記中間領域を前方又は後方の何れか一方向に倒して使用する。尿漏れがあった場合、すなわち２回目の使用の際には、前記中間領域を前方又は後方の他方向に倒して使用することができる。
【０００９】
ここで、前記中間領域は、吸収シートの中央付近を二重に折り重ねることで形成することができる。そして、重ね合わされた前記吸収シートの根元付近を縫製する、或いは接着することで、前記中間領域を形成することができる。
【００１０】
本発明に係る尿吸収パッドは、パンツの内側に直接固定することができる。
【００１１】
また、トランクスタイプのパンツの内側に、股間の前後に渡って吊り下げられた状態で固定された保持部材を備え、その保持部材に対して尿吸収パッドを着脱可能に固定することもできる。
【００１２】
本発明において、中間領域が第１及び第２領域よりも表面に突出するというのは、例えば、長方形状の吸水シートの中央付近をつまみ上げることで突起状（壁状）にする場合や、吸収シートの中央付近の厚み自体を大きくして隆起させる場合や、別部材として中間領域を形成する吸水性部材を後付けする場合等がある。
【００１３】
尿吸収パッドとしては、市販の紙パッドを使用することができる。ただし、専用のパッドを新たに創作して採用することもできる。
【００１４】
中間領域の「前面」とは、例えば、中間領域を吸収パッドの表面から垂直上方に延ばした時に、第１領域側を向く面（壁面）を意味する。同様に、中間領域の「後面」とは、例えば、中間領域を吸収パッドの表面から垂直上方に延ばした時に、第２領域側を向く面（壁面）を意味する。
【図面の簡単な説明】
【００１５】
【図１】図１は、本発明の実施例に係る失禁者用パンツの構成を示す斜視図である。
【図２】図２は、本発明の実施例に係る失禁者用パンツの構成を示す内部側面図である。
【図３】図３は、本発明の実施例に係る失禁者用パンツに使用されるサポート部材の使用状態の姿勢を示す斜視図である。
【図４】図４は、本発明の実施例に係る尿吸収パッド及びこれを用いた失禁者用パンツの構造を示す説明図である。（Ａ）が尿吸収パッドの立体形状を示し、（Ｂ）が当該パッドの平面（上面）形状を示し、（Ｃ）が当該パッドの裏面を示し、（Ｄ）が当該パッドの側面形状を示す。
【図５】図５は、本発明の実施例に係る尿吸収パッドの使用状況を示す透視斜視図であり、（Ａ）が斜め前方から見た様子、（Ｂ）、（Ｃ）が斜め後方から見た様子を示す。
【図６】図６（Ａ）、（Ｂ）は、本発明の実施例に係る尿吸収パッドの他の使用形態を示す概略説明図である。
【発明を実施するための形態】
【００１６】
以下、本発明に係る尿吸収パッド及び失禁者用パンツについて説明する。
図１は、本発明の実施例に係る軽失禁者用パンツ１０の構成を示す斜視図である。図２は、軽失禁者用パンツ１０の構成を示す内部側面図である。軽失禁者用パンツ１０は、前方中央付近に開閉可能な排尿窓１８が形成されたトランクスタイプのパンツ本体部１２と、本体部１２の内側に配置された吸水性のサポート部材１６とを備えている。なお、図１は、パンツの全体像を示すものであり、本発明の主要部である尿吸収パッド（１００）の図示を省略する。
【００１７】
本発明においては、サポート部材１６は必ずしも必要ではないが、尿吸収パッド（１００）を装着するのに便利であると共に、当該パッド（１００）から漏れた尿を吸収する意味では、好ましい構成である。また、尿吸収パッド（１００）を保持するだけの目的であれば、サポート部材（１６）として、吸水性に乏しい単なる帯状の布を用いることも可能である。なお、サポート部材１６自体を省略した場合、尿吸収パッド１００を直接パンツ本体部１２の内側に取り付けることになる。
【００１８】
パンツ本体部１２は、吸水性及び肌触りを考慮し、例えば、綿４０番手糸を使用して製造される。サポート部材１６は、パンツ本体部１２の排尿窓１８に対応する位置に、開閉可能な切り込み２４（図２、図３参照）を有する。サポート部材１６は、前後両端部をパンツ本体部１２のウエスト部１４に固定して、Ｕ字型に吊り下げた状態で使用される。サポート部材１６の存在により、当該サポート部材１６自体のみならず、尿吸収パッド（１００）が常に股間にフィットし、尿漏れの防止に有意義である。
【００１９】
サポート部材１６は、着用者の性器周辺に配置される吸収体２０と、吸収体２０をサポートする伸縮性メッシュ素材からなるサポート部２２とから構成される。サポート部材１６は、着用者の股間部分に対応する部分の幅が最も狭く、前後端部に向かって広がった形状となっている。サポート部２２は、伸縮性があるため、着用者が激しい運動をした場合にも、股間を確実にホールドし、違和感なく使用することが可能となる。
【００２０】
吸収体２０は、外側から（１）防水フィルム、（２）消臭・吸水性不織布、（２）吸収・拡散・逆流防止機能を有する素材の３層構造となっている。吸収体２０は、図３に示すように、前方（図の上方）端部が二股に別れ、左右両側部を形成する。
【００２１】
サポート部材１６の内側には、後述する尿吸収パッド１００が配置される。パッド１００を使用することで、尿の吸収が十分な場合には、吸収体２０を省略することも可能である。ここで、尿吸収パッド１００としては、使い捨ての紙製のものや、洗濯して繰り返し使用可能な布製のものを使用することができる。
【００２２】
尿吸収パッド１００の配置は、尿を効率よく吸収する必要から、パンツ着用者の性器付近とするとともに、通常の排尿動作を妨げないように、排尿窓１８を完全に塞がない位置とすることが好ましい。
【００２３】
図３に示すように、サポート部材１６は、吸収体２０の両側部を立体的に重ね合わせた状態でパンツ本体１２に固定する。これによって、パンツ本体１２の排尿窓１８に対応する位置に立体重ね合わせ構造の切り込み２４が形成される。そして、着用者が排尿する際には、サポート部材１６の切り込み２４とパンツ本体部１２の排尿窓１８とを介して性器を露出させて、排尿を行う。
【００２４】
図４は、本発明の実施例に係る尿吸収パッド１００及びこれを用いた失禁者用パンツ１０の構造を示す説明図である。（Ａ）が尿吸収パッド１００の立体形状を示し、（Ｂ）が当該パッド１００の平面（上面）形状を示し、（Ｃ）が当該パッド１００の裏面を示し、（Ｄ）が当該パッド１００の側面形状を示す。
【００２５】
本実施例に係る尿吸収パッド１００は、パンツ１０の前側に位置する吸水性の第１領域１００ａと、パンツ１０の後側に位置する吸水性の第２領域１００ｂと、これら第１領域１００ａと第２領域１００ｂとの間に形成される中間領域１００ｃとを備える。第１領域、第２領域、中間領域（１００ａ，１００ｂ，１００ｃ）の下には、防水性のベースシート１０２が設けられている。
【００２６】
図４（Ｃ）の符号１０８は、尿吸収パッド１００を保持部材１６又はパンツ本体１２の内面に固定するための接着テープである。なお、尿吸収パッド１００の固定については、接着テープ以外にもマジックテープ（登録商標）のような生地同士の引っかかりや、摩擦による保持によることもできる。
【００２７】
図４（Ａ）において明示されているように、中間領域１００ｃは、パッドの表面から突出しており、第１領域１００ａ側のパッド前面１０６ａと第２領域１００ｂ側のパッド後面１０６ｂとが形成される。中間領域１００ｃは、吸収シートの中央付近を二重に折り重ねることで形成することができる。そして、重ね合わされた吸収シートの根元付近を縫製１０４することで、その形状を保持している。縫製に替えて、パッド内面を接着剤によって接着することで中間領域１００ｃを成形することもできる。
【００２８】
図４（Ｅ）は尿吸収パッド１００を装着する前のパンツ１００の内部（裏側）の様子を示し、同図（Ｆ）は当該パッド１００を装着した様子を示す。
【００２９】
本発明においては、突出した中間領域１００ｃの存在により、中間領域１００ｃで区切られた第１領域１００ａと第２領域１００ｂとを別々に使用することが可能となる。
【００３０】
ここで、中間領域１００ｃを倒さず（寝かせず）に使用した場合には、第１領域１００ａと第２領域１００ｂとの間で、漏れた尿が一方の領域から他方の領域に到達し難くなる。そのため、パッド１００の向きを変える等の方法によって、パッド１００を前後で２回使用することが可能となる。
【００３１】
図５は、本発明の実施例に係る尿吸収パッド１００の使用状況を示す透視斜視図であり、（Ａ）が斜め前方から見た様子、（Ｂ）、（Ｃ）が斜め後方から見た様子を示す。図５に示す例においては、尿吸収パッド１００の１回目の使用の際には、（Ｂ）図に示すように、中間領域１００ｃを後方に倒して使用する。このとき、尿は第１領域１００ａと中間領域１００ｃのパッド前面１０６ａによって吸収される。そして、実際に尿漏れがあった場合などの状況で２回目の使用をする際には、（Ｃ）図に示すように、中間領域１００ｃを前方に倒して２回目の使用（再使用）をする。このとき、尿は第１領域１００ｂと中間領域１００ｃのパッド後面１０６ｂによって吸収される。
【００３２】
図６（Ａ）、（Ｂ）は、本発明の実施例に係る尿吸収パッドの他の使用形態を示す概略説明図である。なお、説明の便宜上、防水性のベースシート１０２の図示は省略する。図５に示す例では、一度パンツ１０に取り付けた尿吸収パッド１００を外すことなく、１回目と２回目の使用を行ったが、図６に示す例では、尿吸収パッド１００の向きを１回目と２回目とで変更する。
【００３３】
尿吸収パッド１００の１回目の使用の際には、（Ａ）図に示すように、第２領域１００ｂ及び中間領域１００ｃのパッド後面１０６ｂの範囲２００で尿を吸収する。そして、実際に尿漏れがあった場合などの状況で２回目の使用をする際には、（Ｂ）図に示すように、吸収パッド１００の向きを前後逆にして第１領域１００ａ及び中間領域１００ｃのパッド前面１０６ａを使用する。
【００３４】
以上、本発明の実施例について説明したが、本発明はこれらの実施例に何ら限定されるものではなく、特許請求の範囲に示された技術的思想の範疇において変更可能なものである。例えば、尿吸収パッド１００は、パンツ本体１２の内側に直接固定して使用することができる。この場合、サポート部材を省略でき、特別なパンツでなく、一般的な市販のパンツに本発明に係る尿吸収パッド１００を装着して使可能となり、使用者の費用負担が著しく緩和される。
【符号の説明】
【００３５】
１０      失禁者用パンツ
１２      パンツ本体部
１６      サポート部材
１８      排尿窓
２０      吸収体
２２      サポート部（伸縮性メッシュ）
１００    尿吸収パッド
１００ａ  第１領域
１００ｂ  第２領域
１００ｃ  中間領域
１０４    縫製部
１０６ａ  パッド前面
１０６ｂ  パッド後面
【図１】
2018047158.tif 000003
【図２】
2018047158.tif 000004
【図３】
2018047158.tif 000005
【図４】
2018047158.tif 000006
【図５】
2018047158.tif 000007
【図６】
2018047158.tif 000008